(57)【要約】【課題】汎用性を向上させた光源ユニット及びそれを用いた照明器具を提供する。【解決手段】光源ユニット２は、ＬＥＤチップ２１と、レンズ２２と、取付部材２３と、放熱部材２４とを備える。レンズ２２は、ＬＥＤチップ２１の発光面側に配置される。取付部材２３は、レンズ２２との間にＬＥＤチップ２１が配置されるようにしてＬＥＤチップ２１及びレンズ２２が取り付けられる。放熱部材２４は、一面が開口する筒状に形成され、取付部材２３が底面側、レンズ２２が開口側となる向きでＬＥＤチップ２１、レンズ２２及び取付部材２３が内部に収納され、ＬＥＤチップ２１で発生する熱を放熱する。【選択図】図１
2015115145.tif 000002
【特許請求の範囲】
【請求項１】
光源と、前記光源の発光面側に配置される透光性部材と、前記透光性部材との間に前記光源が配置されるようにして前記光源及び前記透光性部材が取り付けられる取付部材と、前記光源で発生する熱を放熱する放熱部材とを備え、
前記放熱部材は、一面が開口する筒状に形成され、前記取付部材が底面側、前記透光性部材が開口側となる向きで前記光源、前記透光性部材及び前記取付部材が内部に収納されることを特徴とする光源ユニット。
【請求項２】
前記透光性部材は、前記透光性部材又は前記取付部材の一方に設けられた突起部を、他方に設けられた第１溝部に差し込むことで前記取付部材に取り付けられることを特徴とする請求項１記載の光源ユニット。
【請求項３】
前記取付部材は、前記取付部材又は前記放熱部材の一方に設けられた引掛部を、他方に設けられた被引掛部に引っ掛けることで前記放熱部材に取り付けられることを特徴とする請求項１又は２記載の光源ユニット。
【請求項４】
前記被引掛部は、前記放熱部材の内部に設けられ、前記透光性部材が収納される小径部と、前記光源の光軸と交差する第１方向における内側寸法が前記小径部よりも大きく前記取付部材が収納される大径部との間に形成された段部からなり、
前記引掛部は、前記第１方向における前記取付部材の両端部に設けられ、前記透光性部材に近づくほど互いに離れる方向に傾斜する一対の弾性体からなり、
前記第１方向における前記一対の弾性体の外側寸法が、前記第１方向における前記小径部の内側寸法よりも大きくなっていることを特徴とする請求項３記載の光源ユニット。
【請求項５】
前記放熱部材は、前記引掛部が前記被引掛部から外れる方向に前記引掛部を移動させるための治具が差し込まれる第１孔を有していることを特徴とする請求項３又は４記載の光源ユニット。
【請求項６】
前記取付部材は、前記透光性部材が前記光源の発光面に接触しないようにして前記光源を収容する収容凹部を有していることを特徴とする請求項１〜５の何れか１項に記載の光源ユニット。
【請求項７】
前記取付部材は、前記透光性部材と反対側に突出する給電用のコネクタ部を有し、
前記放熱部材は、前記コネクタ部を外部に露出させるための第２孔を底面部に有していることを特徴とする請求項１〜６の何れか１項に記載の光源ユニット。
【請求項８】
前記第２孔は、前記底面部の中心から偏心させた位置に設けられていることを特徴とする請求項７記載の光源ユニット。
【請求項９】
前記コネクタ部は、前記第２孔を通して外部に露出した状態で外側から前記第２孔の開口端縁に引っ掛かる爪部を有していることを特徴とする請求項７又は８記載の光源ユニット。
【請求項１０】
前記取付部材は、前記光源から前記コネクタ部への電線が収容される第２溝部を有していることを特徴とする請求項７〜９の何れか１項に記載の光源ユニット。
【請求項１１】
請求項１〜１０の何れか１項に記載の光源ユニットと、前記光源ユニットが取り付けられる器具本体と、前記光源ユニットに電源を供給する電源ブロックとを備えたことを特徴とする照明器具。
【発明の詳細な説明】
【技術分野】
【０００１】
本発明は、光源ユニット及びそれを用いた照明器具に関するものである。
【背景技術】
【０００２】
従来より、天井に埋め込まれる天井埋込型の照明器具が提供されている（例えば特許文献１参照）。特許文献１に記載された照明器具は、天井に埋め込まれる器具本体と、器具本体に対して着脱自在に取り付けられるランプ装置と、器具本体に取り付けられる非常用光源と、非常時に非常用光源を点灯させる非常用ユニットとを備える。
【０００３】
器具本体は、下面が開口する有底筒状に形成され、器具本体の底部には放熱体が一体に設けられている。また、器具本体の内部にはランプ装置が収納されるようになっており、ランプ装置の光源で発生した熱が器具本体の放熱体を介して外部に放熱される。
【先行技術文献】
【特許文献】
【０００４】
【特許文献１】特開２０１２−２０４２０９号公報
【発明の概要】
【発明が解決しようとする課題】
【０００５】
上述の特許文献１に示した照明器具は、放熱体が器具本体に設けられているため、例えば光源の種類に応じて放熱体を変更しようとした場合、器具本体も一緒に交換しなければならず、汎用性に乏しかった。
【０００６】
本発明は上記問題点に鑑みて為されたものであり、その目的とするところは、汎用性を向上させた光源ユニット及びそれを用いた照明器具を提供することにある。
【課題を解決するための手段】
【０００７】
本発明の光源ユニットは、光源と、前記光源の発光面側に配置される透光性部材と、前記透光性部材との間に前記光源が配置されるようにして前記光源及び前記透光性部材が取り付けられる取付部材と、前記光源で発生する熱を放熱する放熱部材とを備え、前記放熱部材は、一面が開口する筒状に形成され、前記取付部材が底面側、前記透光性部材が開口側となる向きで前記光源、前記透光性部材及び前記取付部材が内部に収納されることを特徴とする。
【０００８】
この光源ユニットにおいて、前記透光性部材は、前記透光性部材又は前記取付部材の一方に設けられた突起部を、他方に設けられた第１溝部に差し込むことで前記取付部材に取り付けられるのが好ましい。
【０００９】
また、この光源ユニットにおいて、前記取付部材は、前記取付部材又は前記放熱部材の一方に設けられた引掛部を、他方に設けられた被引掛部に引っ掛けることで前記放熱部材に取り付けられるのも好ましい。
【００１０】
また、この光源ユニットにおいて、前記被引掛部は、前記放熱部材の内部に設けられ、前記透光性部材が収納される小径部と、前記光源の光軸と交差する第１方向における内側寸法が前記小径部よりも大きく前記取付部材が収納される大径部との間に形成された段部からなり、前記引掛部は、前記第１方向における前記取付部材の両端部に設けられ、前記透光性部材に近づくほど互いに離れる方向に傾斜する一対の弾性体からなり、前記第１方向における前記一対の弾性体の外側寸法が、前記第１方向における前記小径部の内側寸法よりも大きくなっているのも好ましい。
【００１１】
また、この光源ユニットにおいて、前記放熱部材は、前記引掛部が前記被引掛部から外れる方向に前記引掛部を移動させるための治具が差し込まれる第１孔を有しているのも好ましい。
【００１２】
また、この光源ユニットにおいて、前記取付部材は、前記透光性部材が前記光源の発光面に接触しないようにして前記光源を収容する収容凹部を有しているのも好ましい。
【００１３】
また、この光源ユニットにおいて、前記取付部材は、前記透光性部材と反対側に突出する給電用のコネクタ部を有し、前記放熱部材は、前記コネクタ部を外部に露出させるための第２孔を底面部に有しているのも好ましい。
【００１４】
また、この光源ユニットにおいて、前記第２孔は、前記底面部の中心から偏心させた位置に設けられているのも好ましい。
【００１５】
また、この光源ユニットにおいて、前記コネクタ部は、前記第２孔を通して外部に露出した状態で外側から前記第２孔の開口端縁に引っ掛かる爪部を有しているのも好ましい。
【００１６】
また、この光源ユニットにおいて、前記取付部材は、前記光源から前記コネクタ部への電線が収容される第２溝部を有しているのも好ましい。
【００１７】
本発明の照明器具は、上記光源ユニットと、上記光源ユニットが取り付けられる器具本体と、上記光源ユニットに電源を供給する電源ブロックとを備えたことを特徴とする。
【発明の効果】
【００１８】
本発明の構成によれば、放熱部材を光源ユニットに設けることで、光源の種類に応じて放熱部材を変更する場合でも同じ器具本体を用いることができ、汎用性の高い光源ユニット及びそれを用いた照明器具を提供することができるという効果がある。
【図面の簡単な説明】
【００１９】
【図１】（ａ）は本実施形態の光源ユニットの分解斜視図、（ｂ）は同上に用いられる別のレンズの斜視図である。
【図２】同上を示し、（ａ）は下側から見た全体斜視図、（ｂ）は上側から見た全体斜視図である。
【図３】（ａ）は同上に用いられる取付部材にＬＥＤチップを取り付ける前の斜視図、（ｂ）は同上に用いられる取付部材にＬＥＤチップを取り付けた後の斜視図である。
【図４】（ａ）〜（ｃ）は同上の断面図である。
【図５】同上を用いた照明器具の分解斜視図である。
【発明を実施するための形態】
【００２０】
以下に、光源ユニット及びそれを用いた照明器具の実施形態について図１〜図５を参照しながら説明する。なお、以下では特に断りがない限り、器具本体１の長手方向を上下方向（開口部１１１側が下側）と規定して説明を行う。
【００２１】
本実施形態の照明器具１０は、例えば天井に埋め込まれる天井埋込型の非常灯であって、商用電源が停電になると光源ユニット２を点灯させるものである。この照明器具１０は、図５に示すように、器具本体１と、光源ユニット２と、電源装置３と、非常用電源４と、端子台５と、枠体６とを備える。
【００２２】
器具本体１は、例えば鋼板などの不燃材料からなり、上下方向に長い円筒状に形成された本体部１１を有している。本体部１１の下端部には、円形の開口部１１１が設けられており、開口部１１１の開口端縁には、側方に突出する鍔部１２が全周に亘って設けられている。また、本体部１１の側壁部には、Ｔ字状に開口する一対の切欠部１１２，１１２が、本体部１１の中心軸に対して対称な位置に設けられている（図５では片側のみ図示）。
【００２３】
電源装置３は、図５に示すように、上下方向に長いケース３１を有し、ケース３１の下端部には引掛爪３２が一体に設けられている。ケース３１の内部には、商用電源が正常に供給される通常時において商用電源により非常用電源４を充電する充電回路（図示せず）と、商用電源が停電になると非常用電源４により光源ユニット２を点灯させる給電回路（図示せず）とが収納されている。ここに、本実施形態では、電源装置３により電源ブロックが構成されている。
【００２４】
非常用電源４は、図５に示すように、上下方向に長いケース４１を有し、ケース４１の下端部には引掛爪４２が一体に設けられている。ケース４１の内部には、複数の蓄電池（図示せず）が上下方向に並べて収納されている。また、非常用電源４は、電源装置３の被接続部（図示せず）に電気的に接続される接続部（図示せず）を有しており、非常用電源４の接続部を電源装置３の被接続部に接続することで、電源装置３と非常用電源４とが電気的に接続される。
【００２５】
端子台５は、矩形箱状に形成された本体部５１を有し、本体部５１の上端部には、外部からの電源線（図示せず）が接続される速結端子構造の接続部（図示せず）が設けられている。また、本体部５１の下端部には、電源装置３の上端部に設けられた接続部（図示せず）が電気的に接続される被接続部（図示せず）が設けられている。そして、外部からの電源線を本体部５１の接続部に接続し、電源装置３の接続部を本体部５１の被接続部に接続することで、端子台５と電源装置３とが電気的に接続される。
【００２６】
枠体６は、例えば鋼板などの不燃材料からなり、円板状に形成された枠部６１を有し、枠部６１の中央には円形の開口部６１１が設けられている。また、枠部６１の上面には、枠体６を器具本体１に取り付けるための一対の取付ばね６２，６２が向かい合わせに取り付けられている。そして、器具本体１に対して下側から枠体６を近づけていき、器具本体１の本体部１１の内側面に設けられた各ばね受け部（図示せず）に対応する取付ばね６２を引っ掛けることで、枠体６が器具本体１に取り付けられる。
【００２７】
光源ユニット２は、図１（ａ）に示すように、ＬＥＤチップ２１（光源）と、レンズ２２（透光性部材）と、取付部材２３と、放熱部材２４と、放熱シート２５とを備える。なお、放熱シート２５は、ＬＥＤチップ２１の裏面（図１（ａ）中の上面）に予め取り付けられている。
【００２８】
レンズ２２は、例えば透明なガラスからなり、上下方向を中心軸とする円柱状に形成された本体部２２１を有している。本体部２２１の上端縁には、側方に突出する一対の突起部２２２，２２２が、本体部２２１の中心軸に対して対称な位置に設けられている。また、本体部２２１の下面は、図４（ａ）に示すように、外縁側から中心側に近づくほど上向きに凹むようなすり鉢状に形成されている。このレンズ２２は、ＬＥＤチップ２１の下側（発光面側）に配置される。
【００２９】
取付部材２３は、例えば合成樹脂成型品であって、図３（ａ）及び図３（ｂ）に示すように、円板状に形成された本体部２３１を有している。本体部２３１の下面には、ＬＥＤチップ２１を収容するための収容凹部２３１ａが設けられている。また、本体部２３１の外周縁には、Ｌ字状に形成された一対の突壁部２３２，２３２が向かい合うようにして設けられている。その結果、各突壁部２３２と本体部２３１の下面との間に溝部２３２ａが形成される。
【００３０】
さらに、本体部２３１の外周縁には、レンズ２２に近づくほど（つまり下側に行くほど）互いに離れる方向（つまり外向き）に傾斜する一対の弾性片２３３，２３３（弾性体）が向かい合うようにして設けられている。また、本体部２３１の上面には、上向きに突出するコネクタ部２３４が設けられている。
【００３１】
コネクタ部２３４は、角筒状に形成された筒体２３４ａと、筒体２３４ａの内部に収納される接続端子２６とで構成され、接続端子２６は、電線２７を介してＬＥＤチップ２１に電気的に接続されている（図４（ｂ）参照）。また、コネクタ部２３４の筒体２３４ａの側面には、下側に行くほど互いに離れる方向に傾斜する一対の引掛爪２３４ｂ，２３４ｂが設けられている。
【００３２】
収容凹部２３１ａの底面には、図３（ａ）に示すように、矩形状に開口する開口部２３１ｄが設けられている。開口部２３１ｄの開口端縁には、対角に位置する一対の角部のうちの一方を除くようにして、一対のＬ字状のリブ２３１ｅ，２３１ｅが向かい合わせに設けられている。また、開口部２３１ｄの開口端縁には、ＬＥＤチップ２１を取付部材２３に取り付けるための引掛爪２３１ｆが設けられている。
【００３３】
さらに、収容凹部２３１ａの底面には、開口部２３１ｄと横並びに溝部２３１ｃが設けられている。溝部２３１ｃは、図３（ｂ）示すように、ＬＥＤチップ２１に接続された電線２７を収容するためのものであり、本実施形態では、溝部２３１ｃにより第２溝部が構成されている。
【００３４】
また、開口部２３１ｄと溝部２３１ｃの間には、両者の間を隔てるようにリブ２３１ｇが設けられている。さらに、収容凹部２３１ａの底面においてコネクタ部２３４と対応する位置に、コネクタ部２３４の筒体２３４ａの内部につながる一対の孔２３１ｂ，２３１ｂが設けられている。この取付部材２３は、上下方向においてレンズ２２との間にＬＥＤチップ２１が配置されるようにして、ＬＥＤチップ２１及びレンズ２２が取り付けられる。
【００３５】
放熱部材２４は、例えば放熱性の高いアルミニウムからなり、図１（ａ）及び図２に示すように、円筒状に形成された本体部２４１を有している。本体部２４１の下端部には、円形の開口部２４１ａが設けられており、さらに本体部２４１の側壁部には、側方に突出する放熱用のフィン２４１ｇが全周に亘って設けられている。また、本体部２４１の底面部には、取付部材２３のコネクタ部２３４と対応する位置に矩形の孔２４１ｂが設けられるとともに、一対の孔２４１ｃ，２４１ｃが向かい合うようにして設けられている（図２（ｂ）参照）。
【００３６】
また、本体部２４１の内部には、図４（ｃ）に示すように、レンズ２２が収納される小径部２４１ｄと、取付部材２３が収納される大径部２４１ｅとが設けられている。大径部２４１ｅは、ＬＥＤチップ２１の光軸と交差する第１方向（図４（ｃ）中の左右方向）における内側寸法が、第１方向における小径部２４１ｄの内側寸法よりも大きくなっている。これにより、前後方向における小径部２４１ｄと大径部２４１ｅの間に段部２４１ｆが形成される。
【００３７】
次に、光源ユニット２の組立手順について説明する。まず最初に、作業者は、放熱シート２５が取り付けられたＬＥＤチップ２１を、発光面側が下側となるようにして取付部材２３に取り付ける。このとき、作業者は、ＬＥＤチップ２１の角部をリブ２３１ｅとリブ２３１ｇの間に差し込んだ後、ＬＥＤチップ２１の反対側の角部を引掛爪２３１ｆで固定する。これにより、ＬＥＤチップ２１が取付部材２３の収容凹部２３１ａ内に収容される（図３（ｂ）参照）。
【００３８】
その後、作業者は、ＬＥＤチップ２１に接続された電線２７，２７を、取付部材２３の孔２３１ｂ，２３１ｂに通して接続端子２６，２６にそれぞれ接続し、両接続端子２６，２６を上側からコネクタ部２３４の筒体２３４ａ内に収納する。
【００３９】
さらに、作業者は、取付部材２３に対して下側からレンズ２２を近づけていき、レンズ２２の各突起部２２２を取付部材２３の対応する溝部２３２ａに差し込む。このとき、各突起部２２２が対応する突壁部２３２に接触することで突壁部２３２が外側に撓み、レンズ２２をさらに押し込むことで各突起部２２２が対応する溝部２３２ａに差し込まれる。その結果、レンズ２２が取付部材２３に取り付けられる（図４（ａ）参照）。ここに、本実施形態では、溝部２３２ａにより第１溝部が構成されている。
【００４０】
なおこのとき、ＬＥＤチップ２１は、上下方向においてレンズ２２と取付部材２３の間に配置されるが、収容凹部２３１ａの深さ寸法がＬＥＤチップ２１の厚み寸法よりも深く設定されているため、レンズ２２はＬＥＤチップ２１の発光面に接触しない。
【００４１】
そして最後に、作業者は、一体に組み付けられたＬＥＤチップ２１、レンズ２２及び取付部材２３を、レンズ２２が開口側、取付部材２３が底面側となる向きで放熱部材２４の内部に収納する。
【００４２】
またこのとき、取付部材２３のコネクタ部２３４が放熱部材２４の孔２４１ｂを通して外部に露出する。そして、コネクタ部２３４の両引掛爪２３４ｂ，２３４ｂが外側から孔２４１ｂの開口端縁に引っ掛かり、放熱部材２４に対して取付部材２３が抜け止めされる（図４（ｂ）参照）。ここに、本実施形態では、孔２４１ｂにより第２孔が構成され、引掛爪２３４ｂにより爪部が構成されている。
【００４３】
また、本実施形態では、第１方向（図４（ｃ）中の左右方向）における一対の弾性片２３３，２３３の外側寸法が、第１方向における小径部２４１ｄの内側寸法よりも大きくなっている。そのため、一体に組み付けられたＬＥＤチップ２１、レンズ２２及び取付部材２３を放熱部材２４の内部に収納すると、取付部材２３の各弾性片２３３が放熱部材２４の対応する段部２４１ｆに引っ掛かり、取付部材２３が放熱部材２４に取り付けられる。ここに、本実施形態では、取付部材２３の弾性片２３３により引掛部が構成され、放熱部材２４の段部２４１ｆにより被引掛部が構成されている。
【００４４】
ここで、放熱部材２４の底面部に設けた一対の孔２４１ｃ，２４１ｃは、図４（ｃ）に示すように、それぞれ取付部材２３の弾性片２３３，２３３に臨むようにして設けられている。そして、例えばマイナスドライバなどの治具（図示せず）を各孔２４１ｃに挿入し、各弾性片２３３を内向き（段部２４１ｆから外れる向き）に押すことで、放熱部材２４から取付部材２３を取り外すことができる。ここに、本実施形態では、孔２４１ｃにより第１孔が構成されている。
【００４５】
続けて、照明器具１０の組立手順について説明する。作業者は、端子台５、電源装置３、非常用電源４、光源ユニット２の順番で器具本体１の内部に収納した後、枠体６により器具本体１の開口部１１１を閉塞する。このとき、電源装置３の接続部が端子台５の被接続部に接続されるとともに、非常用電源４の接続部が電源装置３の被接続部に接続される。
【００４６】
また、光源ユニット２のコネクタ部２３４が電源装置３に設けられたコネクタ部（図示せず）に接続され、電源装置３とＬＥＤチップ２１とが電気的に接続される。さらに、電源装置３の引掛爪３２及び非常用電源４の引掛爪４２がそれぞれ光源ユニット２に設けた被引掛部（図示せず）に引っ掛けられ、光源ユニット２が電源装置３及び非常用電源４に保持される。
【００４７】
ところで、取付部材２３のコネクタ部２３４を外部に露出させるための孔２４１ｂは、放熱部材２４の底面部の中心に設けることも考えられる。しかしながら、この場合、取付部材２３を１８０度逆向きに取り付けることも可能であり、逆向きに取り付けた場合には電源の極性が逆向きになってしまう。そこで、本実施形態では、図４（ｂ）に示すように、孔２４１ｂを放熱部材２４の底面部の中心から距離Ｌ１だけ偏心させており、これにより取付部材２３の取付向きが一義的に決まり、電源の極性が逆極性となるのを抑えることができる。
【００４８】
而して、本実施形態によれば、放熱部材２４を光源ユニット２に設けることで、光源の種類に応じて放熱部材２４を変更する場合でも同じ器具本体１を用いることができ、汎用性の高い光源ユニット２及び照明器具１０を提供することができる。また、レンズ２２の各突起部２２２を取付部材２３の対応する溝部２３２ａに差し込むだけでレンズ２２を取付部材２３に取り付けることができ、ねじなどを用いて固定する場合に比べて作業性を向上させることができる。
【００４９】
さらに、一体に組み付けられたＬＥＤチップ２１、レンズ２２及び取付部材２３を放熱部材２４に取り付ける際には差し込むだけでよく、同様に作業性を向上させることができる。また、放熱部材２４に取り付けられたＬＥＤチップ２１、レンズ２２及び取付部材２３を取り外す際には、孔２４１ｃに挿入した治具によって各弾性片２３３を段部２４１ｆから外れる方向に押すだけでよく、簡単に取り外すことができる。
【００５０】
さらに、本実施形態のように、ＬＥＤチップ２１を収容する収容凹部２３１ａを取付部材２３に設けた場合には、ＬＥＤチップ２１からレンズ２２までの距離が一定となり、これにより所望の配光制御を実現することができる。また、本実施形態のように、ＬＥＤチップ２１からコネクタ部２３４への電線２７が収容される溝部２３１ｃを取付部材２３に設けた場合には、組付状態においてレンズ２２と取付部材２３との間に電線２７が挟まれるのを抑えることができる。
【００５１】
さらに、本実施形態のように、ＬＥＤチップ２１の下側にレンズ２２を配置した場合には、人がＬＥＤチップ２１に直接触れるのを抑制することができる。また、人がＬＥＤチップ２１に直接触れられないことから、ＬＥＤチップ２１に対する直接荷重による故障を抑制することもできる。
【００５２】
さらに、器具本体１及び枠体６を鋼板で形成した場合には、器具本体１及び枠体６をアルミニウムで形成した場合に比べて放熱効率は低下するが、本実施形態のように放熱部材２４を光源ユニット２に設けることで、放熱効率の低下を抑えることもできる。
【００５３】
なお、非常用電源４は、内蔵する蓄電池の寿命により交換が必要であるため、本実施形態のように容易に交換できる構造であるのが望ましい。また、本実施形態では、レンズ２２に突起部２２２，２２２を設け、取付部材２３に溝部２３２ａ，２３２ａを設けたが、レンズ２２に第１溝部を設け、取付部材２３に突起部を設けてもよい。
【００５４】
さらに、本実施形態では、図１（ａ）に示すように、レンズ２２の周方向における一部に突起部２２２を設けているが、図１（ｂ）に示すように、突起部２２２を全周に亘って設けてもよく、これにより製造コストを低減することができる。
【００５５】
また、本実施形態では、取付部材２３に引掛部（弾性片２３３）を設け、放熱部材２４に被引掛部（段部２４１ｆ）を設けたが、取付部材２３に被引掛部を設け、放熱部材２４に引掛部を設けてもよい。さらに、引掛部と被引掛部は本実施形態のものに限らず、取付部材を放熱部材に取り付けられるものであれば、他の形状でもよい。
【００５６】
また、本実施形態の照明器具１０は一例であって、例えば天井直付け型の照明器具に本発明に係る光源ユニットを適用してもよい。さらに、本実施形態では、接続端子２６をコネクタ部２３４の筒体２３４ａに挿入する構成としたが、例えば接続端子２６をコネクタ部２３４とともにインサート成形してもよい。この場合、金属導体によってＬＥＤチップ２１と接続端子２６とを接続することでインサート成形が可能になる。
【００５７】
また、本実施形態では、ＬＥＤチップ２１を光源としたが、例えば有機発光ダイオード（ＯＬＥＤ）などを光源としてもよく、本実施形態に限定されない。
【００５８】
本実施形態の光源ユニット２は、ＬＥＤチップ２１（光源）と、レンズ２２（透光性部材）と、取付部材２３と、放熱部材２４とを備える。レンズ２２は、ＬＥＤチップ２１の発光面側に配置される。取付部材２３は、レンズ２２との間にＬＥＤチップ２１が配置されるようにしてＬＥＤチップ２１及びレンズ２２が取り付けられる。放熱部材２４は、一面が開口する筒状に形成され、取付部材２３が底面側、レンズ２２が開口側となる向きでＬＥＤチップ２１、レンズ２２及び取付部材２３が内部に収納され、ＬＥＤチップ２１で発生する熱を放熱する。
【００５９】
また、本実施形態の光源ユニット２のように、レンズ２２は、レンズ２２又は取付部材２３の一方に設けられた突起部２２２を、他方に設けられた溝部２３２ａ（第１溝部）に差し込むことで取付部材２３に取り付けられるのが好ましい。
【００６０】
また、本実施形態の光源ユニット２のように、取付部材２３は、取付部材２３又は放熱部材２４の一方に設けられた引掛部（弾性片２３３）を、他方に設けられた被引掛部（段部２４１ｆ）に引っ掛けることで放熱部材２４に取り付けられるのが好ましい。
【００６１】
また、本実施形態の光源ユニット２のように、前記被引掛部は、放熱部材２４の内部に設けられるのが好ましい。この場合、前記被引掛部は、レンズ２２が収納される小径部２４１ｄと、ＬＥＤチップ２１の光軸と交差する第１方向における内側寸法が小径部２４１ｄよりも大きく取付部材２３が収納される大径部２４１ｅとの間に形成された段部２４１ｆからなる。前記引掛部は、第１方向における取付部材２３の両端部に設けられ、レンズ２２に近づくほど互いに離れる方向に傾斜する一対の弾性片２３３，２３３（弾性体）からなる。第１方向における一対の弾性片２３３，２３３の外側寸法は、第１方向における小径部２４１ｄの内側寸法よりも大きくなっている。
【００６２】
また、本実施形態の光源ユニット２のように、放熱部材２４は、前記引掛部が前記被引掛部から外れる方向に前記引掛部を移動させるための治具が差し込まれる孔２４１ｃ（第１孔）を有しているのが好ましい。
【００６３】
また、本実施形態の光源ユニット２のように、取付部材２３は、レンズ２２がＬＥＤチップ２１の発光面に接触しないようにしてＬＥＤチップ２１を収容する収容凹部２３１ａを有しているのが好ましい。
【００６４】
また、本実施形態の光源ユニット２のように、取付部材２３は、レンズ２２と反対側に突出する給電用のコネクタ部２３４を有しているのが好ましい。この場合、放熱部材２４は、コネクタ部２３４を外部に露出させるための孔２４１ｂ（第２孔）を底面部に有している。
【００６５】
また、本実施形態の光源ユニット２のように、孔２４１ｂは、放熱部材２４の底面部の中心から偏心させた位置に設けられているのが好ましい。
【００６６】
また、本実施形態の光源ユニット２のように、コネクタ部２３４は、孔２４１ｂを通して外部に露出した状態で外側から孔２４１ｂの開口端縁に引っ掛かる引掛爪２３４ｂ（爪部）を有しているのが好ましい。
【００６７】
また、本実施形態の光源ユニット２のように、取付部材２３は、ＬＥＤチップ２１からコネクタ部２３４への電線２７が収容される溝部２３１ｃ（第２溝部）を有しているのが好ましい。
【００６８】
本実施形態の照明器具１０は、光源ユニット２と、光源ユニット２が取り付けられる器具本体１と、光源ユニット２に電源を供給する電源装置３（電源ブロック）とを備える。
【符号の説明】
【００６９】
２  光源ユニット
２１  ＬＥＤチップ（光源）
２２  レンズ（透光性部材）
２３  取付部材
２４  放熱部材
【図１】
2015115145.tif 000003
【図２】
2015115145.tif 000004
【図３】
2015115145.tif 000005
【図４】
2015115145.tif 000006
【図５】
2015115145.tif 000007